【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
コンピューター実行可能コンポーネントを有するコンピューター読み取り可能記憶媒体であって、
オープン・モバイル・アライアンス（ＯＭＡ）デバイス管理（ＤＭ）プロトコルと関連する標準ＯＭＡＤＭ管理オブジェクトを含んでおり移動体デバイスにおいてデバイス管理データーを管理するＯＭＡＤＭ構造であって、前記ＯＭＡ ＤＭプロトコルは、サーバーが前記移動体デバイスの目標ノードにクエリーを提出して前記目標ノードと関連するデバイス管理データーを読み出すことを可能にする、ＯＭＡＤＭ構造と、
前記サーバーが、ノード選別規準と前記ノード選別規準のために用いられる言語シンタックスとを前記クエリーの一部として指定し、前記目標ノードのためのデバイス管理データーの中の戻されるべき部分集合を示すことを可能にする前記ＯＭＡＤＭプロトコルへの追加であって、前記言語シンタックスは前記クエリーの一部として指定され、更に、前記サーバーが、前記デバイス管理データーの前記部分集合に含まれているデバイス管理データーを選別するノード選別規準を１又は複数の指定されたデバイス管理データー値に基づいて指定することを可能にする前記ＯＭＡＤＭプロトコルへの追加と、
を備えている、コンピューター読み取り可能記憶媒体。
【請求項２】
請求項１記載のコンピューター読み取り可能記憶媒体において、前記ノード選別規準は、ＯＭＡＤＭのGetコマンドの一部として前記クエリーに含まれている、コンピューター読み取り可能記憶媒体。
【請求項３】
請求項２記載のコンピューター読み取り可能記憶媒体において、前記GetコマンドはＸＭＬシンタックスで指定される、コンピューター読み取り可能記憶媒体。
【請求項４】
請求項３記載のコンピューター読み取り可能記憶媒体において、前記ノード選別規準は、前記ＸＭＬシンタックスのLocURIフィールドにおいて指定される、コンピューター読み取り可能記憶媒体。
【請求項５】
請求項１記載のコンピューター読み取り可能記憶媒体において、前記ノード選別規準の少なくとも一部は、前記クエリー内部において目標ＵＲＩに追加される新たなパラメーターにおいて指定される、コンピューター読み取り可能記憶媒体。
【請求項６】
請求項５記載のコンピューター読み取り可能記憶媒体において、前記新たなパラメーターは、前記ノード選別規準に用いられる言語シンタックスを指定する、コンピューター読み取り可能記憶媒体。
【請求項７】
請求項６記載のコンピューター読み取り可能記憶媒体において、前記言語シンタックスは、ＳＱＬおよびXpathから成るグループから選択される、コンピューター読み取り可能記憶媒体。
【請求項８】
請求項１記載のコンピューター読み取り可能記憶媒体において、前記クエリーのデーター・セクションは、前記デバイス管理データーの部分集合を選択するのに用いられるべき規準を示す実際のクエリー・ステートメントを含む、コンピューター読み取り可能記憶媒体。
【請求項９】
請求項８記載のコンピューター読み取り可能記憶媒体において、前記指定された言語シンタックスは前記クエリーのデーター・セクションのために用いられ、前記クエリーの目標ＵＲＩ内部にある新たなパラメーターにおいて指定される、コンピューター読み取り可能記憶媒体。
【請求項１０】
請求項９記載のコンピューター読み取り可能記憶媒体において、前記クエリーの目標ＵＲＩは、更に、前記移動体デバイスにおいてどの属性が選択されるべきかを示すパラメーターと、どのフォーマットで前記デバイス管理データーが戻されるべきかを示す別のパラメーターとを含む、コンピューター読み取り可能記憶媒体。
【請求項１１】
目標ノードのためにデーターの部分集合をＯＭＡ ＤＭプロトコルを用いて読み出す方法であって、
移動体デバイスに要求を送りＯＭＡ ＤＭプロトコルを用いて管理データーを読み出すステップであって、前記要求はノード選別規準を有するGetコマンドと前記ノード選別規準に用いられている言語シンタックスとを含み、前記ノード選別規準はデバイス管理データーの中で目標ノードに戻されるべき部分集合を示し、前記言語シンタックスは前記要求の一部として指定され、前記ノード選別規準は、前記デバイス管理データーの前記部分集合に含まれているデバイス管理データーは１又は複数の指定されたＤＭデーター値に基づいて選別されることを示す、ステップと、
前記移動体デバイスにおいて前記要求の処理に成功したときには、デバイス管理データーの中で前記ノード選別規準を満たす部分集合のみを含む応答を前記移動体デバイスから受け取るステップと、
を含む、方法。
【請求項１２】
請求項１１記載の方法であって、更に、
前記要求が前記移動体デバイスにおいて試みられたが成功裏に処理されなかったときには、前記移動体デバイスで発生したエラーを記述するエラー・メッセージを前記移動体デバイスから受け取るステップを含む、方法。
【請求項１３】
請求項１１記載の方法であって、更に、
前記要求を送るステップの前に、前記デバイス管理データーを前記移動体デバイスに送るようにとの要求を催促する通信要求を前記移動体デバイスから受け取るステップを含む、方法。
【請求項１４】
請求項１１記載の方法において、前記ノード選別規準の少なくとも一部はGetコマンドの一部である目標ＵＲＩの中のパラメーターとして含まれる、方法。
【請求項１５】
請求項１４記載の方法において、前記目標ＵＲＩ内の前記パラメーターは前記選別規準に用いられる言語シンタックスを指定する、方法。
【請求項１６】
請求項１４記載の方法において、前記ノード選別規準を指定する実際のクエリーは前記Getコマンドの別のセクションに含まれており、前記実際のクエリーは前記目標ＵＲＬの中の前記パラメーターの中に指定されている前記言語シンタックスで書かれている、方法。
【請求項１７】
請求項１４記載の方法において、前記別のセクションは前記Getコマンドのデーター・セクションである、方法。
【請求項１８】
請求項１４記載の方法において、前記目標ＵＲＩは、前記移動体デバイスにおいてどの属性が選択されるべきかを示すパラメーターと、どのフォーマットで前記デバイス管理データーが戻されるべきかを示す別のパラメーターとを含む、方法。
【請求項１９】
コンピューター実行可能コンポーネントを有するコンピューター読み取り可能記憶媒体であって、
ＯＭＡ ＤＭプロトコルと関連する標準ＯＭＡＤＭ管理オブジェクトを含んでおり移動体デバイスにおいてデバイス管理データーを管理するＯＭＡＤＭ構造であって、前記ＯＭＡ ＤＭプロトコルは、サーバーが前記移動体デバイスの目標ノードにGetコマンドを提出して前記目標ノードと関連するデバイス管理データーを読み出すことを可能にする、ＯＭＡＤＭ構造と、
前記サーバーが、Getコマンドの目標ＵＲＩの１つのパラメーターにおいて前記移動体デバイスでどの属性が選択されるべきかを指定し、前記Getコマンドの目標ＵＲＩの他のパラメーターにおいて前記デバイス管理データーがどのフォーマットで戻されるべきかを指定することを可能にする前記ＯＭＡＤＭプロトコルへの修正であって、更に、前記サーバーが、前記デバイス管理データーを選別する規準を１又は複数の指定されたＤＭデーター値に基づいて指定することを可能にする前記ＯＭＡＤＭプロトコルへの修正と、
を備えている、コンピューター読み取り可能記憶媒体。
【請求項２０】
請求項１９記載のコンピューター読み取り可能記憶媒体であって、更に、
前記サーバーが前記Getコマンドの一部としてノード選別規準を指定し前記目標ノードのためのデバイス管理データーの中の戻されるべき部分集合を示すことを可能にする前記ＯＭＡＤＭプロトコルに対する追加を備えているコンピューター実行可能コンポーネントを有する、コンピューター読み取り可能記憶媒体。